(57)【要約】      （修正有）【課題】別部品を用いることによるコストアップを回避して、長さが異なるランプを装着することができ、且つ、異種ランプの誤装着を防止することができる照明器具を提供する。【解決手段】照明器具は、ランプの光を所定方向へ反射する反射板２０と、反射板２０に取り付けられランプを装着するソケットを取り付けるためのソケット台３０と、を有し、反射板２０の天板２２に設けられたランプ穴２２１を貫通してランプが取り付けられる。反射板２０におけるランプ穴２２１の周囲の対向する位置に取付台２５を突設して、取付台２５の先端面に第１のネジ孔群２５１を設けるとともに、ランプ穴２２１の周囲における取付台２５の間に第２のネジ孔群２２２を設けた。そして、ソケット台３０を第１のネジ孔群２５１または第２のネジ孔群２２２を選択して取り付けるので、全く同じ部品を用いて長さが異なるランプを装着することができる。【選択図】図３
2011009004.tif 000002
【特許請求の範囲】
【請求項１】
ランプの光を所定方向へ反射する反射板と、前記反射板に取り付けられ前記ランプを装着するソケットを取り付けるためのソケット台と、を有する照明器具であって、
前記反射板の天板に前記ランプが貫通するランプ穴を設け、前記ランプ穴の周囲の対向する位置に取付台を突設し、前記取付台の先端面に前記ソケット台を取り付け可能な第１のネジ孔群を設け、
前記反射板の前記ランプ穴の周囲における前記取付台の間に前記ソケット台を取り付け可能な第２のネジ孔群を設け、
前記ソケット台には、前記ソケットを取り付けるソケット取付面と、前記反射板に取り付ける反射板取付部と、を設けて、前記ソケット台を前記第１のネジ孔群または前記第２のネジ孔群に選択的に取付可能とし、
前記第２のネジ孔群には前記反射板の内側に突出するネジ袋部を設け、
不適正なランプを前記ソケットに装着すると前記ランプに当接するランプ識別リブを前記ネジ袋部に突設したことを特徴とする照明器具。
【請求項２】
前記反射板取付部が、前記ソケット取付面に直交して突出する立脚部と、前記立脚部の先端に設けられた取付面と、を有することを特徴とする請求項１に記載の照明器具。
【発明の詳細な説明】
【技術分野】
【０００１】
本発明は、同じ部品を用いて、長さが異なる２種類のランプに対応できる照明器具に関するものである。
【背景技術】
【０００２】
従来の照明器具には、同じ部品を用いて、長さが異なる２種類のランプに対応できるものがある（例えば特許文献１参照）。
以下、図７により従来の照明器具について説明する。
図７に示すように、従来の照明器具１００では、器具本体１０１の内部に、ランプ１０２と、ランプ１０２の光を所定の方向へ反射させる反射板１０３とを有する。反射板１０３の天板部１０４には、ランプ１０２を装着するソケット１０５が取り付けられている。ランプ１０２、反射板１０３、ソケット１０５等は、器具本体１０１の開口部に固定されている固定反射板１０６の内側に収容されている。
【０００３】
ソケット１０５の取付高さは、ランプ１０２による照明範囲が所望の範囲となるように、既設のダウンライトの固定反射板１０６の開口部の高さや構造に合わせて設定可能となっている。
すなわち、既設の器具本体１０１からソケット１０５およびランプ１０２を取り外し、新たなランプに対応したソケットを器具本体１０１に取り付ける。そして、固定反射板１０６の内側に反射板１０３を入れ、その天板部１０４にソケット１０５をネジ等で固定する。
これにより、天井の改装工事の必要がなく、既設の照明器具を用いて、新たなランプ１０２に適した照明器具１００とすることができる。
【先行技術文献】
【特許文献】
【０００４】
【特許文献１】特開２００３−１５１３１０号公報（第１図）
【発明の概要】
【発明が解決しようとする課題】
【０００５】
しかしながら、前述した従来の照明器具１００においては、ランプ１０２を長さが異なる新しいランプと交換するには、取付高さが異なる新たなソケットに交換しなければならない。このため、コストアップを招くという問題があった。また、ランプ１０２を交換する際に、誤って異種のランプを装着するのを防止するには、別途部材が必要となりコストアップを招くという問題があった。
【０００６】
本発明は、従来の問題を解決するためになされたもので、別部品を用いることによるコストアップを回避して、長さが異なるランプを装着することができ、且つ、異種ランプの誤装着を防止することができる照明器具を提供することを目的とする。
【課題を解決するための手段】
【０００７】
本発明の照明器具は、ランプの光を所定方向へ反射する反射板と、前記反射板に取り付けられ前記ランプを装着するソケットを取り付けるためのソケット台と、を有する照明器具であって、前記反射板の天板に前記ランプが貫通するランプ穴を設け、前記ランプ穴の周囲の対向する位置に取付台を突設し、前記取付台の先端面に前記ソケット台を取り付け可能な第１のネジ孔群を設け、前記反射板の前記ランプ穴の周囲における前記取付台の間に前記ソケット台を取り付け可能な第２のネジ孔群を設け、前記ソケット台には、前記ソケットを取り付けるソケット取付面と、前記反射板に取り付ける反射板取付部と、を設けて、前記ソケット台を前記第１のネジ孔群または前記第２のネジ孔群に選択的に取付可能とし、前記第２のネジ孔群には前記反射板の内側に突出するネジ袋部を設け、不適正なランプを前記ソケットに装着すると前記ランプに当接するランプ識別リブを前記ネジ袋部に突設した構成を有している。
【０００８】
この構成により、照明器具は、ランプの光を所定方向へ反射する反射板と、反射板に取り付けられランプを装着するソケットを取り付けるためのソケット台と、を有し、反射板の天板に設けられたランプ穴を貫通してランプが取り付けられる。反射板におけるランプ穴の周囲の対向する位置に取付台を突設して、取付台の先端面に第１のネジ孔群を設けるとともに、ランプ穴の周囲における取付台の間に第２のネジ孔群を設けた。そして、ソケット台を第１のネジ孔群または第２のネジ孔群を選択して取り付けるので、全く同じ部品を用いてソケットの高さ位置を変えることができるので、長さが異なるランプを装着することができる。また、第２のネジ孔群には、反射板の内側に突出するネジ袋部を設け、ネジ袋部にランプ識別リブを設けたので、不適正なランプを装着するとランプがランプ識別リブに当接する。これにより、不適正なランプの装着を防止することができる。
【０００９】
また、本発明の照明器具は、前記反射板取付部が、前記ソケット取付面に直交して突出する立脚部と、前記立脚部の先端に設けられた取付面と、を有する構成を有している。
【００１０】
この構成により、反射板取付部が、ソケット取付面に直交して突出する立脚部と、立脚部の先端に設けられた取付面と、を有するので、ソケットの高さ位置を高くすることができ、長いランプを装着することができる。
【発明の効果】
【００１１】
本発明は、反射板におけるランプ穴の周囲の対向する位置に取付台を突設して、取付台の先端面に第１のネジ孔群を設けるとともに、ランプ穴の周囲における取付台の間に第２のネジ孔群を設けた。そして、ソケット台を第１のネジ孔群または第２のネジ孔群を選択して取り付けるので、全く同じ部品を用いてソケットの高さ位置を変えることができるので、長さが異なるランプを装着できる。また、第２のネジ孔群には、反射板の内側に突出するネジ袋部を設け、ネジ袋部にランプ識別リブを設けたので、不適正なランプを装着するとランプがランプ識別リブに当接する。これにより、不適正なランプの装着を防止することができるという効果を有する照明器具を提供できる。
【図面の簡単な説明】
【００１２】
【図１】（Ａ）は本発明に係る実施形態の照明器具を示す斜視図、（Ｂ）は側面図および断面図
【図２】（Ａ）は長さが異なるランプを装着した本発明に係る実施形態の照明器具を示す斜視図、（Ｂ）は側面図および断面図
【図３】反射板とソケット台の斜視図
【図４】（Ａ）は第２ネジ孔群近傍の斜視図、（Ｂ）は（Ａ）中Ｂ−Ｂ位置の断面図、（Ｃ）は反射板の内部を下方から見た斜視図
【図５】（Ａ）は長いランプ用のソケット台の取付けを示す斜視図、（Ｂ）は短いランプ用のソケット台の取付けを示す斜視図
【図６】異種のランプを装着した際の異種ランプの検出を示す断面図および拡大図
【図７】従来の照明器具の断面図
【発明を実施するための形態】
【００１３】
以下、本発明の実施形態の照明器具について、図面を用いて説明する。
図１および図２に示すように、本発明に係る実施形態の照明器具１０は、ランプ１１の光を所定方向へ反射する反射板２０と、この反射板２０に取り付けられてランプ１１を装着するソケット３１を取り付けるためのソケット台３０を有する。このような照明器具１０は、例えば天井１２の取付部位に形成された埋込穴に埋め込んでダウンライトとして使用できる。
【００１４】
図３にも示すように、反射板２０は、下端の開口部２１が広い円錐台形状を呈しており、内面２０１は光を反射するように鏡面仕上げとなっている。開口部２１の周囲には、天井１２の下面に当接して露出する鍔状の化粧板２３を有する。反射板２０の外面下端部付近から、複数個（ここでは２個）の板バネからなる支持部材２４が放射状に設けられており、天井１２の上面に当接して、反射板２０を固定する（図１（Ｂ）参照）。
【００１５】
図５にも示すように、反射板２０の上端部には天板２２を有し、天板２２の中央部にはランプ１１が貫通するランプ穴２２１を有する。天板２２におけるランプ穴２２１の周囲には、対向する位置に一対の取付台２５、２５が突設されており、取付台２５の上端面には、ソケット台３０を取付可能な第１のネジ孔群２５１を有する。
従って、一対の第１のネジ孔群２５１、２５１は、ランプ穴２２１の中心に対して点対称の位置にある。
【００１６】
また、天板２２のランプ穴２２１の周囲における取付台２５の間には、ソケット台３０を取付可能な一対の第２のネジ孔群２２２、２２２が設けられている。一対の第２のネジ孔群２２２、２２２は、ランプ穴２２１の中心に対して点対称の位置にあり、一対の第１のネジ孔群２５１、２５１の中間に配置されている。また、図４に示すように、第２のネジ孔群２２２には、反射板２０の内側に突出するネジ袋部２６を設け、ネジ袋部１６の下端にはランプ識別リブ２７を突設した。
【００１７】
図３および図５に示すように、ソケット台３０は、ソケット３１を取り付けるソケット取付面３２と、反射板２０に取り付ける反射板取付部３３を有する。ソケット取付面３２は矩形状の平面であり、中央にソケット３１を取り付けるソケット穴３２１を有する。ソケット穴３２１には、ソケット３１を挿入するための凹部３２２を有しており、ソケット３１を挿入した後にソケット３１を回転させて、ソケット３１を脱落しないように係止する。
【００１８】
また、反射板取付部３３は、対向する位置からソケット取付面３２に直交して下方に折り曲げ形成された一対の立脚部３４、３４と、立脚部３４の先端に設けられた取付面３５とを有し、取付面３５には、反射板２０の第１のネジ孔群２５１および第２のネジ孔群２２２に選択的に取り付けられるソケット取付面側ネジ孔３５１が設けられている。各取付面３５に設けられているソケット取付面側ネジ孔３５１は、ソケット穴３２１の中心に対して、点対称の位置にある。
【００１９】
次に、図５に基づいて、ソケット台３０を反射板２０に取り付ける作業について説明する。
長いランプ１１を装着できる照明器具１０とする際には、図５（Ａ）に示すように、ソケット台３０の取付面３５を反射板２０の取付台２５の上端面にあわせて、ネジ３６によりソケット台３０の取付面３５のネジ孔３５１と、反射板２０の取付台２５の第１のネジ孔群２５１を締結する。これにより、ソケット台３０のソケット取付面３２の高さが高くなるので、図１に示すように、長いランプ１１を装着できる。
【００２０】
一方、短いランプ１１を装着する照明器具１０とする際には、図５（Ｂ）に示すように、ソケット台３０の取付面３５を反射板２０の天板２２に設けられている第２のネジ孔群２２２に合わせて、ネジ３６によりソケット台３０の取付面３５のネジ孔３５１と、反射板２０の天板２２の第２のネジ孔群２２２を締結する。これにより、ソケット台３０のソケット取付面３２の高さが低くなるので、図２に示すように、短いランプ１１を装着できる。
【００２１】
また、図１および図２に示すような蛍光ランプ１１をソケット３１に装着する際に、図６に示すように、誤って異種のランプである白熱ランプ１１Ｂを装着しようとすると、ランプ識別リブ２７が白熱ランプ１１Ｂに当接する。すなわち、白熱ランプ１１Ｂは、蛍光ランプ１１よりも外径が大きいため、蛍光ランプ１１では当接しないランプ識別リブ２７が白熱ランプ１１Ｂに当接する（図６中破線で表示部分参照）。
【００２２】
これにより、蛍光ランプ１１の装着が想定されている照明器具１０に、誤って白熱ランプ１１Ｂが装着されるのを防止する。
なお、図６においては、ソケット台３０を反射板２０の天板２２に設けられている第２のネジ孔群２２２に取り付けた場合を示しているが、ソケット台３０を取付台２５の第１のネジ孔群２５１に取り付けた場合でも全く同様に、白熱ランプ１１Ｂはランプ識別リブ２７に当接する。
【００２３】
以上、説明した本発明に係る実施形態の照明器具１０によれば、反射板２０におけるランプ穴２２１の周囲の対向する位置に取付台２５を突設して、取付台２５の先端面に第１のネジ孔群２５１を設けるとともに、ランプ穴２２１の周囲における取付台２５の間に第２のネジ孔群２２２を設けた。そして、ソケット台３０を第１のネジ孔群２５１または第２のネジ孔群２２２を選択して取り付けるので、全く同じ部品を用いてソケットの高さ位置を変えることができるので、長さが異なるランプ１１を装着することができる。
【００２４】
また、第２のネジ孔群２２２には、反射板２０の内側に突出するネジ袋部２６を設け、ネジ袋部２６にランプ識別リブ２７を設けたので、不適正なランプ１１Ｂを装着するとランプ１１Ｂがランプ識別リブ２７に当接する。これにより、不適正なランプ１１Ｂの装着を防止することができる。
【００２５】
また、反射板取付部３３が、ソケット取付面３２に直交して突出する立脚部３４と、立脚部３４の先端に設けられた取付面３５と、を有するので、ソケット３１の取付位置を高くすることができ、長いランプ１１を装着することができる。
【００２６】
なお、本発明の照明器具は、前述した実施形態に限定されるものでなく、適宜な変形，改良等が可能である。
例えば、前述した実施形態においては、ソケット台３１の反射板取付部３３に立脚部３４を設けて高さを高くしたが、高くする必要がない場合には、立脚部３４を設けずに、ソケット取付面３２にソケット取付面側のネジ孔３５１を設けることもできる。
【符号の説明】
【００２７】
１０  照明器具
１１  ランプ
１１Ｂ  不適正なランプ
２０  反射板
２２  天板
２２１  ランプ穴
２２２  第２のネジ孔群
２５  取付台
２５１  第１のネジ孔群
２６  ネジ袋部
２７  ランプ識別リブ
３０  ソケット台
３１  ソケット
３２  ソケット取付面
３３  反射板取付部
３４  立脚部
３５  取付面
３５１  ソケット取付面側ネジ孔
【図１】
2011009004.tif 000003
【図２】
2011009004.tif 000004
【図３】
2011009004.tif 000005
【図４】
2011009004.tif 000006
【図５】
2011009004.tif 000007
【図６】
2011009004.tif 000008
【図７】
2011009004.tif 000009